(57)【要約】      （修正有）【課題】焼成用チョコレートを焼成することによって食感や風味を与え商品価値を高めた棒状菓子製造装置を提供する。【解決手段】棒状菓子製造装置１０は、多数の棒状菓子ａを所定間隔で挟持配列するクランパ１と、該クランパ１を載置して案内するスライドブラケット２と、該クランパ１を係止し連続的又は間歇的に移動する無端状のフィードコンベア３とを設け、前記棒状菓子ａを下向きの垂下状態にして焼成用チョコレートタンク４内に昇降移送し、棒状菓子ａの表面の少なくとも一部に焼成用チョコレートを付着させるデッピング機構を配備し、前記フィードコンベア３に係支したクランパ１に振動を与える起振機構５と、フィードコンベア３で移送される経路において、棒状菓子ａに付着した焼成用チョコレートを焼成する焼成機構７０と、フィードコンベア３で移送される経路のクーリングトンネル６を経てクランパ１をフィードコンベア３より離脱する排出機構７とを備える。【選択図】図１
0003188519.tif 000002
【実用新案登録請求の範囲】
【請求項１】
多数の棒状菓子を所定間隔で挟持配列するクランパと、
前記クランパを載置して案内するスライドブラケットと、
前記クランパを係止して連続的または間歇的に移動する無端状のフィードコンベアと、
前記棒状菓子を下向きの垂下状態にして焼成用チョコレートタンク内に昇降移送して棒状菓子の表面の所定の範囲に焼成用チョコレートを付着させるデッピング機構と、
前記デッピング機構により焼成用チョコレートが付着された前記棒状菓子を挟持した前記クランパに振動を与えて該棒状菓子に付着した焼成用チョコレートの余剰分を滴下させる起振機構と、
前記起振機構により付着した焼成用チョコレートの余剰分を滴下させた前記棒状菓子が前記フィードコンベアで移送される経路において、該棒状菓子に付着した焼成用チョコレートを焼成する焼成機構と、
前記焼成機構により付着した焼成用チョコレートが焼成された前記棒状菓子が前記フィードコンベアで移送される経路において、該棒状菓子を冷却するクーリングトンネルと、
前記クーリングトンネルを経て前記クランパを前記フィードコンベアより離脱する排出機構と、
を備えたことを特徴とする棒状菓子製造装置。
【請求項２】
多数の棒状菓子を所定間隔で挟持配列するクランパと、
前記クランパを載置して案内するスライドブラケットと、
前記クランパを係止して連続的または間歇的に移動する無端状のフィードコンベアと、
前記棒状菓子を下向きの垂下状態にして焼成用チョコレートタンク内に昇降移送して棒状菓子の表面の所定の範囲に焼成用チョコレートを付着させるデッピング機構と、
前記デッピング機構により焼成用チョコレートが付着された前記棒状菓子を挟持した前記クランパに振動を与えて該棒状菓子に付着した焼成用チョコレートの余剰分を滴下させる起振機構と、
前記起振機構により付着した焼成用チョコレートの余剰分を滴下させた前記棒状菓子が前記フィードコンベアで移送される経路において、該棒状菓子を冷却するクーリングトンネルと、
前記クーリングトンネルで冷却された前記棒状菓子が前記フィードコンベアで移送される経路において、該棒状菓子に付着した焼成用チョコレートを焼成する焼成機構と、
前記焼成機構を経て前記クランパを前記フィードコンベアより離脱する排出機構と、
を備えたことを特徴とする棒状菓子製造装置。
【請求項３】
前記棒状菓子が前記クランパに挟持配列される前に、該棒状菓子表面の所定の範囲に予め焼成用チョコレート以外の油脂性材料が付着されていることを特徴とする請求項１又は２に記載の棒状菓子製造装置。
【請求項４】
前記焼成機構は、前記棒状菓子に付着した焼成用チョコレートのみを焼成することを特徴とする請求項３に記載の棒状菓子製造装置。
【考案の詳細な説明】
【技術分野】
【０００１】
本考案は、棒状菓子特に焼き上げられたビスケットなどの棒状焼菓子、例えばスティックに焼成用チョコレートをコーティングし、コーティングされた焼成用チョコレートを焼成することによって食感や風味を与え商品価値を高めた棒状菓子製造装置に関するものである。
【背景技術】
【０００２】
一般に棒状菓子とするのに、棒状ビスケットの表面にチョコレートなどの油脂性菓子材料をコーティングしたり、その周囲にナッツその他の食品粒を付着してプリッツなどとすることが知られていて、従来では棒状菓子の上端を把持して下向きに吊しながら移送し、油脂性材料に浸積して引き上げで振動または吹き付け風で余剰材料を除去したのち、吊り下げたまま冷却トンネルに移送して冷却固化することが多用されている。
【０００３】
ところが、棒状菓子を多数配列して把持したまま、一度に油脂性材料に浸積しようとすると、配列した棒状菓子の中央部に近い程棒状菓子の落下事故が多く、相当強力な保持力を持たせないとならないし、保持力を強くしすぎると棒状菓子の破損事故等によって製品歩止りが大巾に低下すると共に、多数配列する際に搬送中に棒状菓子の整列に不揃いが生じやすく、油脂性材料のレベルの高さに均等さがなくなったり、被覆状態が一定しなくなって商品価値を低下する欠点があった。
【０００４】
そこで、本出願人は、特許文献１のように、外観の劣った不良品が発生せずに均一な品質のチョコレート等の油脂性材料や食品粒の付着ができ、量産に適し付加価値の高い外観上優れた形状とし、かつ好ましい食感を持った棒状菓子を安価に製造することができる装置を発明した。
【０００５】
特許文献１の発明は、焼き上げられた棒状菓子を多数間隔をあけてブロックスタンドに挿入配列し、この配列されている多数の棒状菓子の一端に一括してクラッパを挟み込んで持ち上げ、該スライドブラケット上に載置すると直下にあるチョコレート等の油脂性材料の収納タンクに浸漬してから引き上げ、クランパをフィードコンベア上に載置し移送させると、シェーキング部となる起振機構で棒状菓子を振動させて余剰のコーティング油脂性材料を滴下させつつ移送し、必要に応じてすじ付けその他の模様づけ、或いはナッツなど食品料を振り掛けて付着させ、クーリングゾーンへ搬送して固化させ、排出機構でクランパをフィードコンベアから外してクランパを開いて製品を取り出してプリッツエルマーブル或いはプリッツエルナッツなどの商品として搬出するものである。
【０００６】
また、近年では、チョコレートなどの油脂性菓子材料を含気性食材に含浸させたのちに食材全体を焼成した菓子も製造されており、その食感や油脂性菓子材料が溶けにくいという利点により商品価値が高まっている商品も存在している。
【先行技術文献】
【特許文献】
【０００７】
【特許文献１】特開平６−３２７４０９号公報
【考案の概要】
【考案が解決しようとする課題】
【０００８】
特許文献１の発明は、棒状菓子に均一な品質のチョコレート等の油脂性材料や食品粒を付着することができる装置であるが、油脂性材料を焼成することはできなかった。また、近年の油脂性材料を焼成した菓子には棒状菓子に付着したチョコレート等の油脂性材料部分を焼成した菓子に食感や風味を満足に与えるものは無かった。
【０００９】
本考案は、上記課題を解決するためのもので、棒状菓子に均一な品質の焼成用チョコレートを付着コーティングし、コーティングされた焼成用チョコレートを焼成することによって食感や風味を与え商品価値を高めた棒状菓子製造装置を提供するものである。
【課題を解決するための手段】
【００１０】
本考案は、上記課題を鑑みてなされたものであり、請求項１の棒状菓子製造装置は、多数の棒状菓子を所定間隔で挟持配列するクランパと、前記クランパを載置して案内するスライドブラケットと、前記クランパを係止して連続的または間歇的に移動する無端状のフィードコンベアと、前記棒状菓子を下向きの垂下状態にして焼成用チョコレートタンク内に昇降移送して棒状菓子の表面の所定の範囲に焼成用チョコレートを付着させるデッピング機構と、前記デッピング機構により焼成用チョコレートが付着された前記棒状菓子を挟持した前記クランパに振動を与えて該棒状菓子に付着した焼成用チョコレートの余剰分を滴下させる起振機構と、前記起振機構により付着した焼成用チョコレートの余剰分を滴下させた前記棒状菓子が前記フィードコンベアで移送される経路において、該棒状菓子に付着した焼成用チョコレートを焼成する焼成機構と、前記焼成機構により付着した焼成用チョコレートが焼成された前記棒状菓子が前記フィードコンベアで移送される経路において、該棒状菓子を冷却するクーリングトンネルと、前記クーリングトンネルを経て前記クランパを前記フィードコンベアより離脱する排出機構と、を備えたことを特徴としている。
【００１１】
また、請求項２記載の棒状菓子製造装置は、多数の棒状菓子を所定間隔で挟持配列するクランパと、前記クランパを載置して案内するスライドブラケットと、前記クランパを係止して連続的または間歇的に移動する無端状のフィードコンベアと、前記棒状菓子を下向きの垂下状態にして焼成用チョコレートタンク内に昇降移送して棒状菓子の表面の所定の範囲に焼成用チョコレートを付着させるデッピング機構と、前記デッピング機構により焼成用チョコレートが付着された前記棒状菓子を挟持した前記クランパに振動を与えて該棒状菓子に付着した焼成用チョコレートの余剰分を滴下させる起振機構と、前記起振機構により付着した焼成用チョコレートの余剰分を滴下させた前記棒状菓子が前記フィードコンベアで移送される経路において、該棒状菓子を冷却するクーリングトンネルと、前記クーリングトンネルで冷却された前記棒状菓子が前記フィードコンベアで移送される経路において、該棒状菓子に付着した焼成用チョコレートを焼成する焼成機構と、前記焼成機構を経て前記クランパを前記フィードコンベアより離脱する排出機構と、を備えたことを特徴としている。
【００１２】
また、請求項３記載の棒状菓子製造装置は、前記棒状菓子が前記クランパに挟持配列される前に、該棒状菓子表面の所定の範囲に予め油脂性材料が付着されていることを特徴とする請求項１又は２に記載の棒状菓子製造装置である。
【００１３】
また、請求項４記載の棒状菓子製造装置は、前記焼成機構は、前記棒状菓子に付着した焼成用チョコレートのみを焼成することを特徴とする請求項３に記載の棒状菓子製造装置である。
【考案の効果】
【００１４】
本考案の棒状菓子製造装置は、フィードコンベアで移送される経路に棒状菓子に付着した焼成用チョコレートを焼成する焼成機構が備えられており、より効率的に見栄え良く棒状菓子に付着した焼成用チョコレートを焼成することができ、焼成用チョコレートが焼成されることにより食感や風味を与え商品価値を高めることができる。さらに、焼成用チョコレートが焼成されることにより環境温度が高い場合にも溶けずに耐えられる棒状菓子を提供することができる。
また、焼成機構は、付着される焼成用チョコレートの粘度などの特性に応じて、フィードコンベアで移送される経路に備えられるクーリングトンネルの前方か後方かのどちらかに備えることができる。
【００１５】
また、請求項３の考案では、棒状菓子が前記クランパに挟持配列される前に、該棒状菓子表面の所定の範囲に予め焼成用チョコレート以外の油脂性材料が付着されていることを特徴としているので、油脂性材料と焼成用チョコレートとで風味に違いが生まれ、より商品価値を高めることができる。
【００１６】
さらに、請求項４の考案では、予め油脂性材料が付着された棒状菓子に焼成用チョコレートを付着させて、焼成用チョコレートの表面のみを焼成することを特徴としているので、付着した油脂性材料と焼成用チョコレートとで食感の違いが生まれ、より商品価値を高めることができる。
【図面の簡単な説明】
【００１７】
【図１】本考案の実施例を示す側面図である。
【図２】図１の例の平面図である。
【図３】図２のＡ−Ａ線における拡大縦断面図である。
【図４】クランパの作動状態を示す拡大側面図である。
【図５】図４の使用状態の側面図である。
【図６】図５の平面図である。
【図７】図５の正面図である。
【図８】クランパの一作用状態の説明正面図である。
【図９】デッピング作用時の説明正面図である。
【図１０】図１の例の起振機構の側面図である。
【図１１】図１０の正面図である。
【図１２】排出機構の側面図である。
【図１３】図１２の正面図である。
【考案を実施するための形態】
【００１８】
以下、本考案に係る棒状菓子製造装置の実施例を図１〜図１３を参照して説明する。
一実施例における棒状菓子製造装置１０は、図１〜図３に示すように、多数の棒状菓子ａを所定間隔で挟持配列するクランパ１と、該クランパ１を載置して案内するスライドブラケット２と、該クランパ１を係止して連続的または間歇的に移動する無端状のフィードコンベア３とを設けると共に、前記棒状菓子ａを下向きの垂下状態にして焼成用チョコレートタンク４内に昇降移送して棒状菓子ａの表面の少なくとも一部に液状の焼成用チョコレートを付着させるデッピング機構を配備し、かつ前記フィードコンベア３に係支したクランパ１に振動を与える起振機構５と、フィードコンベア３で移送される経路において、棒状菓子ａに付着した焼成用チョコレートを焼成する焼成機構７０と、フィードコンベア３で移送される経路のクーリングトンネル６を経てクランパ１をフィードコンベア３より離脱する排出機構７とを備えている。
なお、本実施例では、フィードコンベア３で移送される経路において、焼成機構７０で棒状菓子ａの焼成用チョコレートが焼成されたのちクーリングトンネルを通る順序となっているが、逆にクーリングトンネルで棒状菓子ａの焼成用チョコレートが冷却されたのち焼成機構７０で棒状菓子ａの焼成用チョコレートが焼成される構成となっても良く、製造する棒状菓子や焼成用チョコレートの粘度などの特性に応じて選択すると良い。
【００１９】
クランパ１としては、図４〜図９に示すように、一対のスライドブラケット２及びフィードコンベア３のチェーンに載置できる支杆１１を備え、棒状菓子ａを多数嵌挿支持したブロックスタンドｂから突出する棒状菓子端を一括して挟持する構成としてあって、接離自在に相対配備される一対の挟持片１２，１２からなり、一方の挟持片１２を前記支杆１１に固定し、他方の挟持片１２を前記支杆１１に回動可能に設けたレバー１３をリンク１４とバネ１５とで付勢連結した可動片を支軸１９で備えてハンドル１８で両挟持片１２，１２間に棒状菓子ａを着脱できるようにし、しかも前記挟持片１２にはゴムまたは合成樹脂の弾性部材１７を前記支杆１１にアームを介して平行に設けた支片に貼着配備したものであって、棒状菓子ａを間隔をおいて多数保持するもので、棒状菓子ａの安全な保持ができるように考慮してある。なお、棒状菓子ａには予め焼成用チョコレート以外の油脂性材料を付着させたものを使用してもよい。
【００２０】
起振機構５としては、図１０及び図１１に示すように、前記クランパ１の支杆１１をガイドするレール５０と、該レール５０を弾性的に支持するバネ受台５１と、該バネ受台５１を振動させる振動モータ５２とからなるものであって、前記フィードコンベア３の経路中に配備されるクランパ１の支杆１１を所定の距離フィードコンベア３より浮かせた状態として搬送させ、起振機構５の振動が棒状菓子ａに伝わるようにして余剰のコーティング焼成用チョコレートを滴下させ、該材料をシュータ４０を介してタンク４に回収できるようにしてある。
【００２１】
なお、フィードコンベア３は、受レール３１上を走行するローラチェーンを用いてあり、該チェーンがホイール３０，３０に掛装され、駆動モータ３２のホイールとに連絡して棒状菓子ａを挟持したクランパ１を搬送できるようにしてある。また、焼成用チョコレートの付着加工部としてのテッピング機構としては、スライドブラケット２を備えたタンク４としてあるが、スライドブラケット２に昇降機構（図示せず）を備えて、クランパ１を自動的に焼成用チョコレート液に浸漬して引き上げる自動搬送形態としてもよい。
【００２２】
即ち、フィードコンベア３のチェーンは、図１０及び図１１に示すように、係止用爪３３が突設され、該係止用爪３３，３３間にグリッパ１の支杆１１を位置してスライドブラケット２上に載置されるグリッパ１を搬送走行されるようになっている。このグリッパ１は手作動でスライドブラケット２上に載置することで、チェーンに係支されるようになっているが、必要に応じて昇降機構でクランパの支杆１１を持ち上げ、スライドブラケット２上に荷卸しまたは荷揚げして棒状菓子ａを自動吊垂配備して走行できる供給部としてもよく、その走行経路に支杆１１を挿入挟持できる一対のガイドレール５０、５０をバネ５３及びバネ受台５１からなる弾性台を支柱５４に支軸５５で吊下配備し、起振モータ５２に連結して起振モータ５２の駆動で生ずる振動が、ガイドレール５０及び支杆１１を介してグリッパ１に保持された棒状菓子ａに伝わって、シェーキング作業ができるようになっている。
【００２３】
なお、フィードコンベア３のチェーンは、駆動輪，従動輪となるホイール３０、３０に無端状に架装され、上下受レール３１，３１で支持され両端部がグリッパ１の供給部と排出部とになるが、両部の下方には焼成用チョコレートの受皿４１或いはタンクを備えて材料回収に役立ててある。また、前記従動輪のホイール３０はスライド軸受３４で可動自在に設けられ、チェーンに張力調整できる形態としてある。
【００２４】
さらに、グリッパ１のフィードコンベア３の排出端では、図１２及び図１３のようにグリッパ１の支杆１１を支承するガイドレール３６を一対配備し、フィードコンベア３のチェーンで走行されてくるグリッパ１を乗り移して駆動輪のホイール３０に巻き込まれないように、手動作或いは昇降自在のリフタまたはシュータなどの排出機構で、搬送ラインからグリッパ１を持ち出し、棒状菓子ａをグリッパ１より外して製品として次工程に送出できるように配備されている。
【００２５】
なお、駆動輪のホイール３０は、張力ギア３７及び中間ギア３８を介して主ギア３９のある駆動モータ３２に連絡してフィードコンベア３を安全に運転できるようにしてある。また、前記クランパ１の構造により、製品外しは手動或いは自動的に行えるようにしてあって、棒状菓子の供給及びクランピング作業の自動化も自動供給機構や搬出機構を付設することが容易にできる。さらに、チョコ冷却ではフィードコンベア３の中途にクーリングトンネル６を配備し、両端にグリッパ供給部とグリッパ排出部とを形成して順次搬送されてくるグリッパ１を通過させて、棒状菓子ａの仕上げが良好に行えるようにしてある。
【００２６】
焼成機構７０は、温度上限５００℃のオーブンであり、加熱方法に制限は無く、所定の機構内温度を保てる構成となっている。焼成用チョコレートの粘度などの特性や、焼成用チョコレートの表面のみを焼成する場合など、条件に応じて焼成機構７０内温度や焼成時間を調整することとなり、焼成時間の上限は３０分となっている。
なお、本実施例では、フィードコンベア３で移送される経路において、焼成機構７０で棒状菓子ａが焼成されたのちクーリングトンネルを通る順序となっているが、逆にクーリングトンネルで棒状菓子ａが冷却されたのち焼成機構７０で棒状菓子ａが焼成される構成となっても良く、製造する棒状菓子の特性や焼成用チョコレートの粘度などの特性に応じて選択すると良い。
【００２７】
チョコレートタンク４としては、図９のようにジャケット式タンクで分離自在の内外タンクとして、内部のデッピングタンク４２からオーバーフローした焼成用チョコレートは、外部タンク４３で受け循環経路４４でポンプ４５を用いてデッピングタンク４２に戻し、所定の液位を保つようにするのがよい。また、棒状菓子ａは供給部においてスティックホッパーから導出してブロックスンタドｂに挿入するか、或いはベルトコンベア（図示せず）で搬送中にクランパで一括挟持して作業しやすい形態とするようにしてある。この場合、ブロックスタンドｂとしては、図８のように棒状菓子ａのサイズによって交換自在のブロックを架台に備え、スティック切損残在を取り外すための突出孔ｃを挿入孔ｄに連通して形成してあるのを用いるのが便利である。
【００２８】
さらに、フィードコンベア３のある搬送機構は、図１に示すようにデッピング部、即ち、焼成用チョコレート液の付着加工部と、余剰焼成用チョコレート液を滴下するシェーキング部、デコレータ部及び複数のクーリング部を経て、製品取出部に連絡して走行自在とし、製品整列取出コンベアに連らねたプラントとしてもよく、棒状菓子ａにナッツなどの食品粒を付着させるプリッツェルナッツプラントの例ではデッピング部，シェーキング部の後にナッツ振り掛け部を介在させ、一次、二次、三次のクーリング部とデッピング部及びクーリング部と焼成機構を経て製品取出部としてもよい。
【００２９】
図中、４６は攪拌機、４７は攪拌用モータ、４８は焼成用チョコレート供給部である。
【符号の説明】
【００３０】
ａ    棒状菓子
ｂ    ブロックスタンド
ｃ    突出孔
ｄ    挿入孔
１０    棒状菓子製造装置
１    クランパ
２    スライドブラケット
３    フィードコンベア
４    タンク
５    起振機構
６    クーリングトンネル
７    排出機構
１１    支杆
１２    挟持片
１３    レバー
１４    リンク
１５    バネ
１７    弾性部材
１８    ハンドル
１９    支軸
３０    ホイール
３１    受レール
３２    駆動モータ
３３    係止用爪
４０    シュータ
５０    ガイドレール
５１    バネ受台
５２    起振モータ
５３    バネ
５４    支柱
５５    支軸
７０    焼成機構
【図１】
0003188519.tif 000003
【図２】
0003188519.tif 000004
【図３】
0003188519.tif 000005
【図４】
0003188519.tif 000006
【図５】
0003188519.tif 000007
【図６】
0003188519.tif 000008
【図７】
0003188519.tif 000009
【図８】
0003188519.tif 000010
【図９】
0003188519.tif 000011
【図１０】
0003188519.tif 000012
【図１１】
0003188519.tif 000013
【図１２】
0003188519.tif 000014
【図１３】
0003188519.tif 000015
【手続補正書】
【提出日】平成25年11月15日(2013.11.15)
【手続補正１】
【補正対象書類名】実用新案登録請求の範囲
【補正対象項目名】全文
【補正方法】変更
【補正の内容】
【実用新案登録請求の範囲】
【請求項１】
多数の棒状菓子を所定間隔で挟持配列するクランパと、
前記クランパを載置して案内するスライドブラケットと、
前記クランパを係止して連続的または間歇的に移動する無端状のフィードコンベアと、
前記棒状菓子を下向きの垂下状態にして焼成用チョコレートタンク内に昇降移送して棒状菓子の表面の所定の範囲に焼成用チョコレートを付着させるデッピング機構と、
前記デッピング機構により焼成用チョコレートが付着された前記棒状菓子を挟持した前記クランパに振動を与えて該棒状菓子に付着した焼成用チョコレートの余剰分を滴下させる起振機構と、
前記起振機構により付着した焼成用チョコレートの余剰分を滴下させた前記棒状菓子が前記フィードコンベアで移送される経路において、該棒状菓子に付着した焼成用チョコレートを焼成する焼成機構と、
前記焼成機構により付着した焼成用チョコレートが焼成された前記棒状菓子が前記フィードコンベアで移送される経路において、該棒状菓子を冷却するクーリングトンネルと、
前記クーリングトンネルを経て前記クランパを前記フィードコンベアより離脱する排出機構と、
を備えたことを特徴とする棒状菓子製造装置。
【請求項２】
多数の棒状菓子を所定間隔で挟持配列するクランパと、
前記クランパを載置して案内するスライドブラケットと、
前記クランパを係止して連続的または間歇的に移動する無端状のフィードコンベアと、
前記棒状菓子を下向きの垂下状態にして焼成用チョコレートタンク内に昇降移送して棒状菓子の表面の所定の範囲に焼成用チョコレートを付着させるデッピング機構と、
前記デッピング機構により焼成用チョコレートが付着された前記棒状菓子を挟持した前記クランパに振動を与えて該棒状菓子に付着した焼成用チョコレートの余剰分を滴下させる起振機構と、
前記起振機構により付着した焼成用チョコレートの余剰分を滴下させた前記棒状菓子が前記フィードコンベアで移送される経路において、該棒状菓子を冷却するクーリングトンネルと、
前記クーリングトンネルで冷却された前記棒状菓子が前記フィードコンベアで移送される経路において、該棒状菓子に付着した焼成用チョコレートを焼成する焼成機構と、
前記焼成機構を経て前記クランパを前記フィードコンベアより離脱する排出機構と、
を備えたことを特徴とする棒状菓子製造装置。
【手続補正２】
【補正対象書類名】明細書
【補正対象項目名】０００２
【補正方法】変更
【補正の内容】
【０００２】
一般に棒状菓子とするのに、棒状ビスケットの表面にチョコレートなどの油脂性菓子材料をコーティングしたり、その周囲にナッツその他の食品粒を付着してプリッツ（登録商標）などとすることが知られていて、従来では棒状菓子の上端を把持して下向きに吊しながら移送し、油脂性材料に浸積して引き上げで振動または吹き付け風で余剰材料を除去したのち、吊り下げたまま冷却トンネルに移送して冷却固化することが多用されている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】